(57)【要約】【課題】既に画像配置領域に配置してあるフォト画像同士を置き換える場合に、フォト画像の再配置を容易にするとともに人為的なミスを軽減する仕組みを提供する。【解決手段】第１の画像を選択した領域が、画像配置領域か、画像待機領域かを判別し、さらに、第2の画像配置領域に、第2の画像が配置済みか否かを判別し、さらに、第１の画像配置領域と第２の画像配置領域が、仮想製本表示状態において同一の見開き上にあるか否かを判別して、各判別結果に基づいて第２の画像の再配置を制御する。【選択図】図２
2011203815.tif 000002
【特許請求の範囲】
【請求項１】
複数の画像を複数のページに配置したデータを編集するための製本印刷編集装置であって、
製本の状態を仮想して複数の画像を配置する見開きページを表示する表示手段と、
前記見開きページの画像が配置された位置を指定して行われた、移動対象の画像および移動先の指示を受け取る画像移動指示手段と、
前記画像移動指示手段で受け取った指示の移動対象の画像を、該指示の移動先に配置する第１画像移動手段と、
前記画像移動指示手段で受け取った指示の移動先に既に画像が配置されている場合、該指示で移動対象画像として指定された位置が前記指示の移動先の位置と同一の見開きページにあるときは、当該移動先に既に配置されている画像を、前記指示で移動対象画像として指定された位置に配置する第２画像移動手段と
を備えたことを特徴とする製本印刷編集装置。
【請求項２】
予め定められた見開きページごとに画像を配置していない未使用領域の有無の判別を行う未使用判別手段と、前記未使用領域のある見開きページに未使用領域が有ることを示す標示を付して、前記見開きページを一覧表示する覧表示手段をさらに備えたことを特徴とする請求項１に記載の製本印刷編集装置。
【請求項３】
前記見開きページとともに前記待機画像を表示する待機画像表示手段をさらに備え、
画像移動指示手段によって受け取られる指示は、前記待機画像表示手段により表示された待機画像が配置された位置、または前記見開きページの画像が配置された位置を指定して行われ、
前記待機画像表示手段により表示された待機画像が配置された位置を指定して行われた場合、前記移動対象の画像が前記見開きページのいずれかに既に表示されているときは、当該表示された画像を削除することを特徴とする請求項１または２に記載の製本印刷編集装置。
【請求項４】
前記第２画像移動手段は、前記画像移動指示手段で受け取った指示の移動先に画像が配置されていない場合、当該移動先に既に配置されている画像を待機中の画像として記憶することを特徴とする請求項１乃至３のいずれかに記載の製本印刷編集装置。
【請求項５】
前記第２画像移動手段は、前記記憶した待機中の画像を、前記見開きページの前記移動対象の画像が表示されていた位置に表示することを特徴とする請求項４に記載の製本印刷編集装置。
【請求項６】
複数の画像を複数のページに配置したデータを編集するための製本印刷編集方法であって、
製本の状態を仮想して複数の画像を配置する見開きページを表示する表示ステップと、
前記見開きページの画像が配置された位置を指定して行われた、移動対象の画像および移動先の指示を受け取る画像移動指示ステップと、
前記画像移動指示手段で受け取った指示の移動対象の画像を、該指示の移動先に配置する第１画像移動ステップと、
前記画像移動指示ステップで受け取った指示の移動先に既に画像が配置されている場合、該指示で移動対象画像として指定された位置が前記指示の移動先の位置と同一の見開きページにあるときは、当該移動先に既に配置されている画像を、前記指示で移動対象画像として指定された位置に配置する第２画像移動ステップと
を備えたことを特徴とする製本印刷編集方法。
【発明の詳細な説明】
【技術分野】
【０００１】
本発明は製本印刷編集装置および方法に関し、より具体的にはデジタルカメラで撮影したデジタルフォトを用いてフォトブックを作成するための製本印刷編集装置および方法に関する。
【背景技術】
【０００２】
オンデマンド印刷（POD）市場では、印刷技術の向上による少量多品種の印刷への対応や、デジタルカメラの普及により、個人による少部数のフォトブック（写真集）の製本印刷が増加しつつある。
【０００３】
そのようなフォトブックの製本印刷では、デジタルカメラで撮影したフォト画像を収集して、どのページ上に、どのフォト画像を配置するかを編集する必要がある。従来のフォトブック編集装置には、パーソナルコンピュータ上でオペレータがフォト画像を配置する際のフォト画像間の位置調整の手間を省くため、予めページ内の画像配置領域が定められたテンプレートを用いるものがある（例えば、特許文献１参照）。
【先行技術文献】
【特許文献】
【０００４】
【特許文献１】特開２００６−０７２８５８号公報
【発明の概要】
【発明が解決しようとする課題】
【０００５】
しかし、従来の技術では、一度画像配置領域に配置したフォト画像を別の画像配置領域のフォト画像と置き換える場合、置き換え元ならびに置き換え先の各々のフォト画像を、一旦未使用の状態にする必要がある。例えば、画像配置領域に配置されたフォト画像を削除してから置き換える画像を配置するなどの操作が必要であり、手順が煩雑で人為的なミスが起きやすいなどの課題がある。
【０００６】
そこで、本発明では、既に画像配置領域に配置してあるフォト画像同士を置き換える場合に、フォト画像の再配置を容易にするとともに人為的なミスを軽減する仕組みを備えた製本印刷編集装置および方法を提供することを目的とする。
【課題を解決するための手段】
【０００７】
上記の目的を達成するため、本発明の製本印刷編集装置は、複数の画像を複数のページに配置したデータを編集するための製本印刷編集装置であって、製本の状態を仮想して複数の画像を配置する見開きページを表示する表示手段と、見開きページの画像が配置された位置を指定して行われた、移動対象の画像および移動先の指示を受け取る画像移動指示手段と、画像移動指示手段で受け取った指示の移動対象の画像を、指示の移動先に配置する第１画像移動手段と、画像移動指示手段で受け取った指示の移動先に既に画像が配置されている場合、指示で移動対象画像として指定された位置が指示の移動先の位置と同一の見開きページにあるときは、移動先に既に配置されている画像を、指示で移動対象画像として指定された位置に配置する第２画像移動手段とを備えたことを特徴とする。
【０００８】
また、本発明の製本印刷編集方法は、複数の画像を複数のページに配置したデータを編集するための製本印刷編集方法であって、製本の状態を仮想して複数の画像を配置する見開きページを表示する表示ステップと、見開きページの画像が配置された位置を指定して行われた、移動対象の画像および移動先の指示を受け取る画像移動指示ステップと、画像移動指示手段で受け取った指示の移動対象の画像を、指示の移動先に配置する第１画像移動ステップと、画像移動指示ステップで受け取った指示の移動先に既に画像が配置されている場合、指示で移動対象画像として指定された位置が指示の移動先の位置と同一の見開きページにあるときは、移動先に既に配置されている画像を、指示で移動対象画像として指定された位置に配置する第２画像移動ステップとを備えたことを特徴とする。。
【発明の効果】
【０００９】
左右一対のページから成る見開き上でフォト画像を移動する場合は、移動先の画像配置領域に既に配置してあるフォト画像を移動元の画像配置領域に自動的に移動することにより、フォト画像の再配置が容易になり、手順を簡略化することができる。また、見開き以外のページへフォト画像を移動する場合は、移動先の画像配置領域から外されたフォト画像を、移動元の画像配置領域ではなく待機領域へ一旦自動的に移動する。これにより、外されたフォト画像の再配置先を見失うなどの人為的ミスを軽減することができる。
【図面の簡単な説明】
【００１０】
【図１】本実施形態のコンピュータのH/W構成図である。
【図２】実施例１の装置のソフトモジュールのブロック図である。
【図３】実施例１のフローチャートである。
【図４】実施例１の画像配置処理１のフローチャートである。
【図５】実施例１の画像配置処理２のフローチャートである。
【図６】実施例１の画像配置処理３のフローチャートである。
【図７】実施例１の画像配置処理４のフローチャートである。
【図８】実施例１の画像配置処理５のフローチャートである。
【図９】実施例２の主フローチャートである。
【図１０】実施例２の編集状態チェック処理のフローチャートである。
【図１１】実施例２の仮想製本編集一覧表示処理のフローチャートである。
【図１２】実施例１のUI画面の例を示す図である。
【図１３】実施例１のUI画面の例を示す図である。
【図１４】本発明の実施例１のUI画面の例を示す図である。
【図１５】本発明の実施例２のUI画面の例を示す図である。
【図１６】実施例１の待機画像リスト情報の例を示す図である。
【図１７】実施例１の編集状態管理情報の例を示す図である。
【発明を実施するための形態】
【００１１】
以下、本発明を実施するための最良の形態について図面を用いて説明する。  
［実施例１］
図１はフォトブック編集を実行するシステムを図示している。図１を参照すると、コンピュータモジュール１０１は、キーボード１３２やマウス１３３のようなポインティングデバイスなどの入力装置と接続され、またディスプレイ装置１４４などの出力装置とも接続される。ネットワークインタフェイス１３８は、コンピュータモジュール１０１をネットワーク接続１０７を介して接続し、システムの他のコンピュータ装置に接続することができる。
【００１２】
ネットワーク接続１０７は、通常ローカルエリアネットワーク（ＬＡＮ）、あるいはワイドエリアネットワーク（ＷＡＮ）であるがこれに限られない。コンピュータモジュール１０１は典型的な構成として以下の要素を備える。
・プロセッサーユニット(CPU)１３５
・ランダムアクセスメモリ（ＲＡＭ）やリードオンリーメモリ（ＲＯＭ）から構成されるメモリユニット１３６
・ビデオインタフェイス１３７を含むＩ／Ｏインタフェイス
・キーボード１３２やマウス１３３のためのＩ／Ｏインタフェイス１４３
【００１３】
記憶装置１３９にはハードディスクドライブ（HDD）１４０やフロッピーディスクドライブ１４１が含まれるが、これに限られない。図１には示していないが、磁気テープドライブなどもまた使用することができる。ＣＤ−ＲＯＭドライブ１４２は、不揮発性のデータソースとして提供される。コンピュータモジュール１０１は、オペレーティングシステムや相互接続バス１３４を介して、コンピュータモジュール１０１のコンポーネントであるＣＰＵ１３５からＩ／Ｏインタフェース１４３を利用する。
【００１４】
本発明のフローチャートに示す手順を実現するソフトウェアは、例えば上述したような記憶装置を含むコンピュータの読取可能な媒体に格納される。一般に、ソフトウェアは、図示しないコンピュータの読取可能な媒体からコンピュータにロードされ、コンピュータ１０１のCPU１３５によって実行される。そのコンピュータでコンピュータプログラム製品を使用することによりフォトブック編集処理制御に有利な装置として作動することができる。
【００１５】
図２は、本実施例におけるフォトブック編集装置であるコンピュータモジュール１０１におけるソフトウェアモジュールの構成の一例を示したものである。フォトブック編集装置１０１は、待機画像表示手段としてもフォトブック編集制御処理部２０１、テンプレート選択処理部２０２、仮想製本表示制御処理部２０３、画像インポート処理部２０４、画像選択処理部２０５を有する。また、さらにフォトブック編集装置１０１は、画像待機領域制御処理部２０６、編集状態管理部２０７、第2画像再配置制御処理部２０８、画像選択領域判別処理部２０９、第2画像配置領域判別処理部２１０、見開き配置判別処理部２１１を有する。
【００１６】
以下で、本実施形態におけるフォトブック編集装置１０１の処理を図３および図４のフローチャートを参照して説明する。なお、本フローチャートの各処理を、フォトブック編集装置１０１上で実行するプログラムは、上述のRAM１３６、ROM１３６、HDD１４０のいずれかの記憶手段に記憶され、実行の際はCPU１３５にロードされる。
【００１７】
テンプレートインポート処理部２０２は、予めフォトブックのページ毎にフォト画像の配置位置および領域が設定されたテンプレートを読み込んで、オペレータの選択指示に基づいてメモリ１３６上に配置する（S301）。次に、仮想製本表示制御処理部２０３は、フォト画像の配置等の編集を行うために、製本の状態を仮想した状態における左右一対のページからなる見開きのフォトブックのイメージの見開きページを表示する（S302）。その際、読み込んだテンプレートに基づいて、図１２に示す画像配置領域７０２をその見開きページ７０１上に表示する。
【００１８】
次に、画像インポート処理部２０４は、HDD１４０等に記憶しているフォト画像の中から、オペレータのファイル選択指示に基づいて選択されたフォト画像を読み出す。そして、読み出した画像の画像ID８０１および記憶位置情報８０２を待機画像リスト情報８００に登録する（S303）。この時、待機画像リスト情報８００に登録されたフォト画像は、画像待機領域制御処理部２０６によって、縮小され、その縮小処理により生成された画像が画像待機領域７０３に表示される。
【００１９】
次に、画像選択処理部２０５は、画像待機領域７０３もしくは見開きページ７０１上での、オペレータの選択指示に基づいて、画像待機領域７０３もしくは見開きページ７０１上の１つまたは複数の画像を選択状態にする（S304）。ここでの画像移動指示のためのオペレータの選択指示は、例えば、マウス１３３などのポインティングデバイスによるクリック操作などによる指示することができる。
【００２０】
次にフォトブック編集制御処理部２０１は、オペレータの移動指示に基づいて、選択状態になっているフォト画像を特定の画像配置領域に移動させる画像配置処理１（S305）を実行する。画像配置処理（S305）の詳細を図４のフローチャートに示す。まず、編集状態管理部２０７は、図１７に示す編集状態管理情報８２０における、各画像配置領域８１２の配置画像ID８１３に、各フォト画像を識別する画像IDをセットする（S3101）。この時、編集状態管理部２０７は、画像待機領域制御処理部２０６に配置した画像IDを通知する（S3102）。
【００２１】
次に、画像待機領域制御処理部２０６は、通知された画像IDから、待機画像リスト情報８００を参照し、該当するフォト画像の配置済みフラグ８０３をONにセットすることで、未配置、すなわち待機中の状態から配置済みの状態に変更する（S3103）。本実施例では、この時の待機中の状態と配置済みの状態を、例えば明暗で区別して表示している。例えば、図１２に示す、縮小画像７０４、７０５は、カラー/モノクロでの区別表示や、矩形枠表示の有無などでの区別表示も可能である。例えば、明るい縮小画像７０４は待機中、暗い縮小画像７０５は配置済みのように示すことができる。
【００２２】
この結果、仮想製本表示制御処理部２０３は、編集状態管理情報８２０を参照して、通知された画像IDに対応するフォト画像を各画像配置領域に表示する（S3104）。
【００２３】
オペレータの移動指示は、例えばマウス（１３３）などのポインティングデバイスによるドラッグ＆ドロップ操作などにより指示することができる。またこれに加え、時間順やインポート順など予め定めたルールに従って各ページの画像配置領域へ一括配置するよう指示することもできる。
【００２４】
次に、このような移動指示により、配置済みのフォト画像の配置を変更する処理（S306でＹｅｓと判定された以降の処理）を説明する。ここでは、移動対象となる移動対象画像である１つの配置済みのフォト画像（フォト画像１）および移動先の配置領域を指定して置き換える変更を想定する。ここで、上述の通り、フォト画像１の指定は、図１２の画像待機領域７０３もしくは見開きページ７０１上のどちらでも実行することができるため、以降別の処理として説明する。すなわち、画像待機領域７０３上で指定された場合の処理は、画像配置処理３および４（図６および図７に示すフローチャート）、見開きページ７０１上で指定された場合の処理は、画像配置処理２および５（図５および図８に示すフローチャート）である。画像選択領域判別処理部２０９により、フォト画像１が現在配置されている領域が、画像配置領域７０１（すなわち、見開きページ）か画像待機領域７０３かを判別する（S307）。フォト画像１の現在配置されている領域が画像配置領域（画像配置領域１と呼ぶ）である場合は、見開き配置判別処理部２１１により、移動先の画像配置領域（画像配置領域２と呼ぶ）が、画像配置領域１と同一の見開きページ上にあるか否かを判別する（S311）。画像配置領域１と画像配置領域２とが同一の見開きページ上にある場合は、第２画像配置領域判別処理部２１０は、移動先の画像配置領域２にフォト画像１とは異なるフォト画像２が既に配置されているか否かを判別する（S312）。なお、同一の見開きページにない場合は、画像待機領域の画像から選択できるようにするため、一旦画像の選択をキャンセルする（S315）。
【００２５】
ステップS312において、フォト画像２が配置されていると判断された場合、第２画像再配置制御処理部２０８は、画像配置処理２（S313）を実行する。
【００２６】
画像配置処理２（S313）の詳細を、図５のフローチャートに示す。編集状態管理部２０７は、編集状態管理情報８２０における、画像配置領域１の配置画像IDに、フォト画像２を識別する画像IDをセットする（S3201）。次に、編集状態管理情報８２０における、画像配置領域２の配置画像IDに、フォト画像１を識別する画像IDをセットする（S3202）。仮想製本表示制御処理部２０３は、変更された編集状態管理情報８２０を再度参照して、画像IDに対応するフォト画像を各画像配置領域に再表示する（S3203）。
【００２７】
ステップS307において、フォト画像１として選択された領域が画像待機領域である場合、次に、第２画像配置領域判別処理手段２１０により、移動先の画像配置領域２に、フォト画像２が配置されているか否かを判別する（S308）。ステップS308にて、フォト画像２が配置されている場合、第２画像再配置制御処理部２０８は、画像配置処理３（S309）を実行する。
【００２８】
画像配置処理３（S309）の詳細を、図６のフローチャートに示す。編集状態管理部２０７は、図１７に示す編集状態管理情報８２０においてフォト画像１の画像IDが配置画像IDにセットされている画像配置領域を特定する。その後、特定された画像配置領域１の配置画像IDにセットされている画像IDを削除しnullをセットする（S3301）。さらに、画像待機領域制御処理部２０６に、削除した画像IDを通知する（S3302）。
【００２９】
また、編集状態管理部２０７は、さらに、編集状態管理情報８２０における、画像配置領域２の配置画像IDに、フォト画像１を識別する画像IDをセットし（S3303）、画像待機領域制御処理部２０６に、セットした画像IDを通知する（S3304）。画像待機領域制御処理部２０６は、通知された画像IDから、図１６に示す待機画像リスト情報８００を参照し、該当するフォト画像の配置済みフラグ８０３を変更し、待機中の状態や配置済みの状態に変更する（S3305）。すなわち、フォト画像１の配置済みフラグを配置済みを示す「ＯＮ」とし、フォト画像２の配置済みフラグを待機中を示す「ＯＦＦ」とするよう変更する。このようにして、待機中となったフォト画像２は、その後オペレータの指示等、本技術分野で知られた方法により指示を受け、フォト画像１が元々配置されていた見開きページの領域に表示される。
【００３０】
次に、仮想製本表示制御処理部２０３は、変更された編集状態管理情報８２０を再度参照して、画像IDに対応するフォト画像を各画像配置領域に再表示する（S3306）。これによって、フォト画像１が移動前に配置されていた画像配置領域１には何も配置されていない状態になり、待機画像領域で配置済みの状態であったフォト画像２が待機中の状態に遷移したことがオペレータに認識される。
【００３１】
画像配置処理３（S309）について、図１２，図１３，図１４，図１５の図面を用いて説明する。図１２は、画像配置領域７０１に画像７０２を含む３枚の画像が表示されており、画像待機領域７０３に画像７０４，７０５，７０６を含む５枚の画像が表示されています。画像７０４はどのページにおいても使用されていないため、画像の背景の濃度が薄くなっているが、画像７０５，７０５はページにおいて使用されている画像のため、画像の背景の濃度が濃くなっている。また、一覧表示領域７０７には、画像領域７０１に表示されている画像のサムネイル画像７０８や他のページのサムネイル画像７０９等が表示されている。
【００３２】
図１３は、画像７１０を含む画像が画像配置領域に表示されており、画像配置領域に表示されたサムネイル画像が一覧表示領域７０９に表示されている。
【００３３】
画像待機領域７０３に表示されている画像７０５を画像７１０と交換する処理を行う場合、まず画像７１０を含んだページを表示する（図１３参照）。次に、画像待機領域７０３に表示された画像７０５をユーザが選択し、画像７１０の上にドラッグアンドドロップする指示を行う。そうすることによって、画像７１０が画像７０５に置き換えられ、サムネイル画像７０８から画像７０５に対応するサムネイル画像が削除される（図１４参照）。これにより、画像７０５が異なるページにおいて複数存在することを防ぐことができる。このとき、サムネイル画像７０９においても、画像７０６に対応するサムネイル画像を画像７０５に対応するサムネイル画像に置き換える。さらに、画像待機領域７０３に表示されている画像７０６を選択状態（画像の背景の濃度が濃い画像）から未選択状態（画像の背景の濃度が薄い画像）に変更する（図１４参照）。
【００３４】
図１５は、画像配置が4枚可能なページに対して、2枚しか画像が配置されていないため、マーク７１１のような警告表示がされている図である。
【００３５】
ステップS308にて、画像配置領域２にフォト画像２が配置されていない場合、第２画像再配置制御処理部２０８は、画像配置処理４（S310）を実行する。画像配置処理４（S310）の詳細を、図７のフローチャートに示す。編集状態管理部２０７は、図１７に示す編集状態管理情報８２０における、画像配置領域２の配置画像IDに、フォト画像１を識別する画像IDをセットし（S3401）、画像待機領域制御処理部２０６に、セットした画像IDを通知する（S3402）。
【００３６】
画像待機領域制御処理部２０６は、通知された画像IDから、図１６に示す待機画像リスト情報８００を参照し、該当するフォト画像の配置済みフラグをONにセットすることで、配置済みの状態に変更する（S3403）。仮想製本表示制御処理部２０３は、変更された編集状態管理情報８２０を再度参照して、画像IDに対応するフォト画像を各画像配置領域に再表示する（S3404）。すなわち、以上の処理によりフォト画像１は画像配置領域２に移動するが、待機画像領域に表示されたフォト画像１の縮小画像は削除せずに、配置済みを示す上述の何らかの態様で表示されることとなる。また、ステップS312にて、画像配置領域２にフォト画像が配置されていない場合、第２画像再配置制御処理部２０８は、画像配置処理５（S313）を実行する。
【００３７】
画像配置処理５（S314）の詳細を、図８のフローチャートに示す。編集状態管理部２０７は、編集状態管理情報８２０において、画像配置領域１の配置画像IDにセットされている画像IDを削除してnullをセットする（S3501）。さらに、画像配置領域２の配置画像ID情報領域に、フォト画像１を識別する画像IDをセットする（S3502）。
【００３８】
仮想製本表示制御処理部２０３は、変更された編集状態管理情報８２０を再度参照して、画像IDと一致するフォト画像を各画像配置領域に再表示する（S3503）。
【００３９】
以上の手順により、同一見開きページ上でフォト画像を移動する場合は、移動先の画像配置領域に既に配置してあるフォト画像を、移動元の画像配置領域に自動的に移動することにより、フォト画像の再配置が容易になり、手順を簡略化することができる。
【００４０】
また、見開きページ以外のページにフォト画像を移動する場合、移動先の画像配置領域から削除されたフォト画像を、移動元の画像配置領域ではなく待機領域へ自動的に移動する。このことにより、削除されたフォト画像の再配置先を見失うなどの人為的ミスを軽減することができる。
【００４１】
［実施例２］
上述の実施例１における画像配置変更処理では、異なる見開きページにフォト画像を移動する場合、移動先の画像配置領域から削除されたフォト画像を、移動元の画像配置領域ではなく待機領域へ自動的に移動する。これにより、移動元の画像配置領域は空の状態になる。
【００４２】
しかし、そのような画像配置変更処理を複数回行うと、空の画像配置領域が残存するページが複数発生してしまうため、フォトブックのすべてのページにフォト画像が配置されている完成状態であるか否かの判別が困難であった。
【００４３】
そこで、本実施例では、見開きページ毎の空の画像配置領域の有無を判別して、各見開きページの配置情報として管理し、見開きページのサムネールの一覧表示にて、見開きページ毎に特定のマークを表示することで、見開きページ毎に完成状態か否かを示す。本実施例の処理を、図９ないし図１１に示すフローチャートを用いて説明する。なお、本フローチャートに係るフォトブック編集装置１０１のプログラムは、フローチャートで示す手順の処理を実行するプログラムとしてRAM１３６、ROM１３６、HDD１４０のいずれかの記憶手段に記憶され、CPU１３５により実行される。
【００４４】
図９のS501からS505でのステップは、図３のS301からS305までのステップと同様であるので、説明を省略する。次にフォトブック編集制御処理部２０１は、画像配置処理（S505）がなされた各見開きページにおいて、空の画像配置領域の有無をチェックする編集状態チェック処理（S506）を実行する。
【００４５】
編集状態チェック処理（S506）の詳細を図１０のフローチャートに示す。編集状態管理部２０７は、図１７に示す編集状態管理情報８２０における、各画像配置領域の配置画像IDに画像IDがセットされているか否かによって、画像配置領域の使用／未使用をチェックする（S5001）。
【００４６】
各見開きの画像配置領域に未使用領域が有る場合は、編集状態管理部２０７は、編集状態管理情報８２０における、見開き毎の未使用領域判別フラグ８１４にONをセットする（S5003）。各見開きページの画像配置領域に未使用領域が無い場合は、編集状態管理部２０７は、編集状態管理情報８２０における、見開きページ毎の未使用領域判別フラグ８１４にOFFをセットする（S5004）。上記処理は、すべての見開きページのフラグにONもしくはOFFがセットされるまで実行する（S5005）。
【００４７】
次にフォトブック編集制御処理部２０１は、画像配置処理がなされた各見開きページの縮小画像の一覧を表示する仮想製本編集一覧表示処理（S507）を実行する。仮想製本編集一覧表示処理（S507）の詳細を図１１のフローチャートに示す。
【００４８】
まず、仮想製本表示制御処理部２０３は、画像配置処理がなされた各見開きページの一覧表示用の縮小画像を作成する（S5101）。次に、仮想製本表示制御処理部２０３は、編集状態管理部２０７に問い合わせて、各見開きページの未使用判別フラグを取得しチェックする（S5102）。仮想製本表示制御処理部２０３は、編集状態管理情報８２０における、見開きページ毎の未使用領域判別フラグにONがセットされている場合、一覧表示用の該当する見開きページの縮小画像に、あらかじめ定めた特定の標示を付加する（S5104）。この標示には、例えば図１５に示すマーク７１１などを使用することができる。上記処理は、すべての見開きのフラグに対して実行する（S5105）。
【００４９】
次に、仮想製本表示制御処理部２０３は、作成した一覧表示用の縮小画像を、予め定められた所定の位置、例えば図１５に示す位置７０７に表示する（S5106）。画像配置の変更が生じた場合における、編集状態チェック処理（S510）および仮想製本編集一覧表示処理（S511）のステップは、S506およびS507のステップとそれぞれ同様であるので、説明を省略する。
【００５０】
以上の手順により、見開き毎に空の画像配置領域が残存しているか否かの判別が容易になり、フォトブックが未完成状態にあることを見落とすという人為的ミスを軽減することが可能になる。
【００５１】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2011203815.tif 000003
【図２】
2011203815.tif 000004
【図３】
2011203815.tif 000005
【図４】
2011203815.tif 000006
【図５】
2011203815.tif 000007
【図６】
2011203815.tif 000008
【図７】
2011203815.tif 000009
【図８】
2011203815.tif 000010
【図９】
2011203815.tif 000011
【図１０】
2011203815.tif 000012
【図１１】
2011203815.tif 000013
【図１２】
2011203815.tif 000014
【図１３】
2011203815.tif 000015
【図１４】
2011203815.tif 000016
【図１５】
2011203815.tif 000017
【図１６】
2011203815.tif 000018
【図１７】
2011203815.tif 000019